(57)【要約】【課題】着霜による冷却器の冷却効率の低下を大幅に遅らせるようにする。【解決手段】ファン１３により冷凍室５及び冷蔵室７へ冷気を送り出す冷却器１１を有し、  前記冷凍室５にその冷凍室５内を通過した庫内空気が前記冷却器１１へ戻る独立した冷凍室用の冷気循環戻り通路３５を、冷蔵室７にその冷蔵室内を通過した庫内空気が前記冷却器１１へ戻る独立した冷蔵室用の冷気循環戻り通路３７をそれぞれ備え、各庫内空気がそれぞれ独立して冷却器１１に戻るようにする。【選択図】図１
2005257230.tif 000002
【特許請求の範囲】
【請求項１】
冷蔵庫本体に、１つの開閉扉で構成される冷凍室及び冷蔵室と、ファンにより前記冷凍室及び冷蔵室へ冷気を送り出す冷却器とを有し、
前記冷凍室にその冷凍室内を通過した庫内空気が前記冷却器へ戻る独立した冷凍室用の冷気循環戻り通路を、冷蔵室にその冷蔵室内を通過した庫内空気が前記冷却器へ戻る独立した冷蔵室用の冷気循環戻り通路をそれぞれ備えていることを特徴とする冷蔵庫。
【請求項２】
前記冷蔵室用の冷気循環戻り通路からの庫内空気は、冷却器のほぼ中央部位に、冷凍室用の冷気循環戻り通路からの庫内空気は、冷却器の左右部位にそれぞれ戻るようにしたことを特徴とする請求項１記載の冷蔵庫。
【発明の詳細な説明】
【技術分野】
【０００１】
本発明は、冷気循環流路による循環によって冷凍室と冷蔵室の冷却が行なえるようにした１ドアタイプに適する冷蔵庫に関する。
【背景技術】
【０００２】
１ドアタイプの冷蔵庫の概要は、冷蔵庫本体内に冷凍室と冷蔵室が上下に配置され、１つのドアを開けることで冷凍室又は冷蔵室内の出し入れが可能となっている。
【０００３】
一方、冷却器を通過した冷気は、ファンによって冷凍室と冷蔵室とに吹き出された後、冷気循環戻り通路によって再び冷却器へ戻る循環を繰返すことで、各庫内の冷却が行なわれるようになっている。
【特許文献１】特開平１０−３３９５５４号公報
【発明の開示】
【発明が解決しようとする課題】
【０００４】
冷却運転時の冷凍室と冷蔵室には、冷却された庫内空気が循環する。各庫内を通過した庫内空気は、冷気循環戻り通路を通って冷却器へ戻る時に、冷凍室からの庫内空気と冷蔵室からの庫内空気は、冷気循環戻り通路において合流し冷却器へ向かう流れとなる。
【０００５】
冷凍室と冷蔵室の内、特に冷蔵室を通過した庫内空気は食料品から発生する水分によって、冷凍室を通過した庫内空気より湿気を多く含むようになる。
【０００６】
湿気の多い庫内空気は、冷却器を通過する時の熱交換時に水分が凍結し着霜が起きるが、水分を多く含む庫内空気と水分の少ない庫内空気が合流し冷却器へ向かう流れとなるため、冷却器全体にわたって着霜が起きる不具合を招いている。
【０００７】
そこで、本発明は、冷却器に対する各庫内空気の流れを管理し、着霜による冷却器の冷却効率の低下を大幅に遅らせることを可能とした冷蔵庫を提供することを目的としている。
【課題を解決するための手段】
【０００８】
前記目的を達成するために、本発明にあっては、冷蔵庫本体に、１つの開閉扉で構成される冷凍室及び冷蔵室と、ファンにより前記冷凍室及び冷蔵室へ冷気を送り出す冷却器とを有し、
前記冷凍室にその冷凍室内を通過した庫内空気が前記冷却器へ戻る独立した冷凍室用の冷気循環戻り通路を、冷蔵室にその冷蔵室内を通過した庫内空気が前記冷却器へ戻る独立した冷蔵室用の冷気循環戻り通路をそれぞれ備えていることを特徴とする。
【発明の効果】
【０００９】
本発明によれば、冷凍室からの庫内空気を冷凍室用の冷気循環戻り通路により、また、冷蔵室からの庫内空気を冷蔵室用の冷気循環戻り通路により、各庫内空気をそれぞれ独立して冷却器へ戻すことが可能となるため、水分を多く含む庫内空気と水分の少ない庫内空気を冷却器に対して最適な位置へそれぞれ流すことができる。
【発明を実施するための最良の形態】
【００１０】
本発明にあっては、前記冷蔵室用の冷気循環戻り通路からの庫内空気を、冷却器のほぼ中央部位に、冷凍室用の冷気循環戻り通路からの庫内空気を、冷却器の左右部位にそれぞれ戻す流れとし、着霜が中央部位から始まるようにすることで、着霜による冷却器の冷却効率の低下を大幅に遅らせるようにする。
【実施例１】
【００１１】
以下、図１と図２の図面を参照しながら本発明の実施の形態について具体的に説明する。
【００１２】
図１は本発明にかかる１ドアタイプの冷蔵庫１の概要切断面図を示しており、冷蔵庫本体３の内部は、上方が冷凍室５、下方が冷蔵室７となっている。
【００１３】
冷凍室５及び冷蔵室７の前方は１つの開放扉９となっていて、その開放扉９を開けることで、例えば、同時に冷凍室５及び冷蔵室７の食料品等の出し入れが可能となっている。
【００１４】
冷凍室５の背部は蒸発器となる冷却器１１と冷気循環用のファン１３とを有する冷却通路１５となっている。
【００１５】
冷却通路１５は、前記冷却器１１に沿って配置された冷却器絶縁体１７と、その冷却器カバー１９とで形成されると共に冷凍室５用の第１の冷気吹出口２１と冷蔵室７用の第２の冷気吹出口２３とを有している。
【００１６】
なお、第２の冷気吹出口２１は、図示していないが、ダクト通路を介して前記冷却通路１５と接続連通している。
【００１７】
冷却器１１は、機械室２５内に配置された圧縮機２７と凝縮器及び絞り装置（いずれも図示していない）とによって冷凍サイクルが構成されるようになっている。冷却器１１の下部には霜取り用の除霜ヒータ２９が配置され、除霜時の水滴は、ドレンパイプ３１を介して前記圧縮機２７の上部に配置された蒸発皿３３の上に流れ落ちるようになっている。
【００１８】
一方、第１の冷気吹出口２１から吹出された冷気は、冷凍室５を通過した後、独立した冷気循環戻り通路３５を介して冷却器１１へ戻る循環を繰返すようになっている。
【００１９】
第２の冷気吹出口２３から吹出された冷気は、冷蔵室７内を通過した後、独立した冷気循環戻り通路３７を介して冷却器１１へ戻る循環を繰返すようになっている。
【００２０】
冷凍室用の冷気循環戻り通路３５は、冷凍室５の床面を構成する床部絶縁体３９と前記冷却器カバー１９の左右に設けられ冷凍室用戻り口４１とで形成されている。
【００２１】
左右の冷凍室用戻り口４１は、前記冷却器１１の左右部位となる両サイドにそれぞれ位置している。冷凍室用戻り口４１と戻り口４１との間には冷凍室５内の庫内空気を左右に分流する分流体４３が設けられ、左右の冷凍室用戻り口４１からの庫内空気は、冷却器絶縁体１７により下方から冷却器１１の両サイドに沿った流れ（図２、白抜き矢印Ｆ）が確保されるようになっている。
【００２２】
冷蔵室用の冷気循環戻り通路３７は、前記冷凍室５の床部絶縁体３９の中央部位に設けられた断面Ｕ字状の誘導溝４５と、その誘導溝４５の上方を覆うカバープレート４７とにより構成されるようになっている。
【００２３】
冷蔵室用の冷気循環戻り通路３７の前方（庫内側）は取入口４９、その後方は冷蔵室用戻り口５１となっている。
【００２４】
冷蔵室用戻り口５１は、前記冷却器１１の中央部位に位置し、冷蔵室用戻り口５１からの庫内空気は、下方から冷却器１１のほぼ中央部位に集中した流れ（図２、黒の矢印Ｒ）が確保されるようになっている。
【００２５】
このように構成された冷蔵庫１において、冷却器１１を通過した冷気は第１の冷気吹出口２１から冷凍室５内へ、第２の冷気吹出口２３から冷蔵室７内へそれぞれ吹き出される。
【００２６】
冷凍室５内を冷却した庫内空気は、冷凍室用の冷気循環戻り通路３５を介して再び冷却器１１へ向かう循環を繰返すことで庫内冷却が行なわれるようになる。
【００２７】
一方、冷蔵室７内を冷却した庫内空気は、冷蔵室用の冷気循環戻り通路３７を介して再び冷却器１１へ向かう循環を繰返すことで庫内冷却が行なわれるようになる。この庫内冷却運転時において、冷蔵室７からの庫内空気は、冷却器１１のほぼ中央部位を、冷凍室５からの庫内空気は、冷却器１１の両サイドをそれぞれ流れるようになる。
【００２８】
この時、冷却器１１の中央部位を流れる冷蔵室７の庫内空気は、両サイドを流れる冷凍室５の庫内空気より水分を多く含むため冷却器１１の中央部位から着霜が始まる。以下、時間の経過とともに両サイドに着霜領域が拡がるため、着霜による冷却効率の低下を大幅に遅らせることが可能となる。この結果、霜取りから霜取りまでの霜取りサイクルを延ばすメリットが得られる。
【図面の簡単な説明】
【００２９】
【図１】本発明にかかる冷蔵庫の概要切断断面図。
【図２】冷凍室用の冷気循環戻り通路と冷蔵室用の冷気循環戻り通路を示した要部の概要説明斜視図。
【符号の説明】
【００３０】
３…冷蔵庫本体
５…冷凍室
７…冷蔵室
１１…冷却器
１３…ファン
３５…冷凍室用の冷気循環戻り通路
３７…冷蔵室用の冷気循環戻り通路
４３…分流体
【図１】
2005257230.tif 000003
【図２】
2005257230.tif 000004